(57)【要約】【課題】マスカラ薬剤の塊（ダマ）が発生しづらいマスカラ塗布具を提供すること。【解決手段】マスカラ薬剤を塗布する塗布部１２が塗布部軸２１と、塗布部軸２１の長手方向に沿って所定間隔を置いて複数配置されたクシ歯２０とから構成される。クシ歯２０は環状片２２と突出片２３が一体で形成されている。２個以上のクシ歯２０で一組をなすクシ歯群３０を複数組用い、各組を塗布部軸２１の長手方向に沿ってそれぞれ配置する。各組のクシ歯群３０においては、隣り合う２個のクシ歯を正面からみたとき、一方のクシ歯における隣り合う突出片間に、他方のクシ歯の突出片が位置するように、各クシ歯が配置されている。【選択図】図４
2011229989.tif 000002
【特許請求の範囲】
【請求項１】
マスカラ薬剤を塗布する塗布部が塗布部軸とクシ歯とから構成され、クシ歯が環状片と突出片が一体で形成されたマスカラ塗布具であって、
２個以上のクシ歯で一組をなすクシ歯群を複数組用い、各組を前記塗布部軸の長手方向に沿ってそれぞれ配置し、
各組のクシ歯群においては、隣り合う２個以上のクシ歯を正面からみたとき、一方のクシ歯における隣り合う突出片間に、他方のクシ歯の突出片が位置するように、各クシ歯が配置されているマスカラ塗布具。
【請求項２】
同形又は相似形の２個以上のクシ歯で一組をなすクシ歯群を複数組用い、各組のクシ歯群においては、各クシ歯それぞれの突出片の頂点の位置が円周方向に関して各クシ歯間でずれるように各クシ歯が配されている請求項１記載のマスカラ塗布具。
【請求項３】
各クシ歯間での突出片の頂点の位置のずれが規則的になっているか、又は不規則的になっている請求項２記載のマスカラ塗布具。
【請求項４】
互いに異形の２個以上のクシ歯で一組をなすクシ歯群を複数組用いる請求項１記載のマスカラ塗布具。
【請求項５】
突出片が、環状片の周方向に沿って略一定間隔をなす複数位置に設けられて塗布部軸の径方向の外方に突出している請求項１ないし４の何れかに記載のマスカラ塗布具。
【請求項６】
クシ歯直径の異なる複数種のクシ歯を用い、互いに異形の２個以上のクシ歯で一組をなすクシ歯群を複数組用いる請求項１ないし５の何れかに記載のマスカラ塗布具。
【発明の詳細な説明】
【技術分野】
【０００１】
本発明は、マスカラ塗布具に関する。
【背景技術】
【０００２】
近年、マスカラ薬剤に対してはカール効果に加えてロング感が要望されている。従来のマスカラブラシでロング感を出すためには、多量の薬剤をまつ毛に塗布するために何度も梳いてまつ毛を伸ばしながら毛束を増やす必要であった。しかしながら、梳いてまつ毛を伸ばしながら毛束を増やすには時間を要するので、その間に先に塗られている薬剤が固化してしまい、固化したところをブラシで梳くと、せっかく塗った薬剤が剥がれて塊（いわゆるダマ）になってしまう。マスカラ薬剤がダマの状態でまつ毛に付着するとそれを修正することは難しい。例えば、別のまつ毛専用クシでダマを梳き落とさなくてはならない。これには熟練した微妙な操作が必要であり、誰もが簡便に行えるという類の操作ではない。
【０００３】
ダマの発生を防止することを目的とした電動マスカラブラシが提案されている（特許文献１参照）。このマスカラブラシは、ブラシの中空ハンドル内部に小型モータを設置し、回転数を適度に減速させるギアを設け、マスカラブラシの軸をそれに接続させることによって、自動的にブラシヘッドを一定速度で回転させるものである。しかしブラシヘッドの形状自体は既知のものなので、ダマの発生を効果的に防止するには不十分である。また電動式であることから、機構が複雑になってしまう。
【０００４】
ブラシヘッドの形状に関し、スクリューブラシにおいて、ブラシ毛を取り付ける芯部材を３つの円弧で形成される曲線状とすることにより、ブラシ部分をＷ字型に形成したものも知られている（特許文献２参照）。
【０００５】
しかしこのブラシにおいては、ブラシ毛の剛性が薬剤の粘度に負けてしまい、頼りない使い心地になることがある。またブラシ毛は、毛が軸の中心から外側に向けて放射状にランダムに突き出て、かつ、針金のように尖った先端の毛で毛群を構成しているので、その毛群の先端が薬剤を引っ掻いてダマ発生の原因になる。その上、まつ毛に塗布されず毛群の表面に残存した薬剤が固化し、それもダマ発生の原因になる。
【０００６】
【特許文献１】特開２００５−９５５３１号公報
【特許文献２】特開２００４−１６３２８号公報
【発明の開示】
【発明が解決しようとする課題】
【０００７】
本発明の目的は、前述した従来技術が有する、梳いてまつ毛を伸ばしながら毛束を増やすには時間を要するので、作業中に薬剤が固化することによって、ダマを発生するなどの、欠点を解消し得るマスカラ塗布具を提供することにある。
【課題を解決するための手段】
【０００８】
本発明は、マスカラ薬剤を塗布する塗布部が塗布部軸とクシ歯とから構成され、クシ歯が環状片と突出片が一体で形成されたマスカラ塗布具であって、
２個以上のクシ歯で一組をなすクシ歯群を複数組用い、各組を前記塗布部軸の長手方向に沿ってそれぞれ配置し、
各組のクシ歯群においては、隣り合う２個のクシ歯を正面からみたとき、一方のクシ歯における隣り合う突出片間に、他方のクシ歯の突出片が位置するように、各クシ歯が配置されているマスカラ塗布具を提供することにより前記目的を達成したものである。
【発明の効果】
【０００９】
本発明においては、塗布ヘッドに環状片と突出片が一体で形成されたクシ歯を用い、且つ該塗布ヘッドに細かな凹凸が形成されるようにクシ歯が配置されているので、梳いてまつ毛を伸ばしながら毛束を増やすことが可能である。マスカラ薬剤の塗布操作中に、まつ毛上にダマが発生する場合があるが、クシ歯がそのダマ付着部を通過するときに、該凹凸に、ダマを引っかけて取ることができる。塗布ヘッドの凸凹にダマが引っかかると、毛ブラシと比較して剛性の高い形状であるので、ダマの大きさやまつ毛へのダマの粘着力に負けることなく、まつ毛からダマを除去することができる。更に、毛ブラシの先端と異なり、クシ歯の頂点は丸みを帯びた三角形状をしているので、薬剤をきれいに塗布した部分を梳くときに、薬剤を引っ掻いてこれを剥がしてしまうことが起こりづらい。従って、電動ブラシと異なり、複雑な機構が不要でありながら、熟練したテクニックを要することなく、手際よく、きれいに仕上げることが可能になる。
【発明を実施するための最良の形態】
【００１０】
以下本発明を、その好ましい実施形態に基づき図面を参照しながら説明する。図１ないし図３には、本発明のマスカラ塗布具の一実施形態が示されている。
【００１１】
図１（ａ）に示すように、マスカラ塗布具１０は、塗布棒１１の先端部に塗布ヘッド１２を有している。図１（ｂ）及び（ｃ）に示すように、塗布ヘッド１２には、クシ歯２０が、塗布棒１１の軸方向に沿って略一定間隔をおいて複数設けられている。マスカラ塗布具１０は、例えば、塗布棒１１の先端芯棒１１Ａの周囲に、インサート成形によって、塗布ヘッド１２を射出成形して製作される。
【００１２】
塗布ヘッド１２においては、図２及び図３に示すように、塗布棒１１の先端芯棒１１Ａの全長にわたり、該先端芯棒１１Ａの外周に、塗布部軸２１が被着されている。塗布部軸２１の外周にはクシ歯２０が設けられている。各クシ歯２０は、環状片２２と突出片２３を有する。環状片２２は、塗布部軸２１の軸方向に沿って略一定間隔をおき、該塗布部軸２１の外周に複数設けられている。塗布部軸２１の軸方向において隣り合う環状片２２の間隔は、後述する環状溝１３の溝幅と一致する。突出片２３は、環状片２２の周方向に沿って略一定間隔をなす複数位置に設けられている。また突出片２３は、環状片２２の径方向の外方に突出している。本実施形態では、クシ歯２０が、１０個の突出片２３を備える星形状の形状になっている。突出片２３は、その頂点が丸みを帯びた三角形状をしている。
【００１３】
塗布部軸２１を、塗布棒１１の先端芯棒１１Ａに確実に固定するために、先端芯棒１１Ａの表面に、凹凸やその周方向に延びる溝（図示せず）を１本又は複数本形成することが好ましい。これによって、インサート成形時に、塗布部軸２１の構成材料が前記の溝内に充填され、塗布部軸２１と先端芯棒１１Ａとが係合する。また、先端芯棒１１Ａの表面に凸部（図示せず）を形成した場合は、その凸部がインサート成形時に金型に保持されるため、塗布ヘッドの成形時に射出圧力による影響で発生する先端芯棒１１Ａと塗布部軸２１との芯ぶれを防止する効果もある。
【００１４】
図３に示すように、塗布部軸２１の軸方向において隣り合うクシ歯２０間には、塗布部軸２１のまわりに環状溝１３が形成される。具体的には、環状溝１３は、隣り合う一方のクシ歯２０の環状片２２及び突出片２３と、他方のクシ歯２０の環状片２２及び突出片２３とによって形成される。環状溝１３の底部の幅は好適には０．２〜０．８ｍｍである。環状溝１３にはマスカラ薬剤が保持される。
【００１５】
本実施形態においては、２個以上のクシ歯２０で一組をなすクシ歯群を複数組用い、各組を塗布部軸２１の長手方向に沿ってそれぞれ配置して塗布ヘッド１２を構成している。例えば、図１（ｂ）に示す塗布ヘッド１２の先端部においては、互いに相似形になっているクシ歯２０が３個で一組のクシ歯群３０をなし、そのクシ歯群３０が３組用いられている。また図１（ｃ）に示す塗布ヘッド１２の中央域においては、互いに同形のクシ歯２０がやはり３個で一組のクシ歯群３０をなしている。クシ歯２０で一組をなすクシ歯群としては、クシ歯直径の異なる複数種のクシ歯を用い、互いに異形の２個以上のクシ歯で一組をなすクシ歯群を複数組用いることもできる。
【００１６】
本実施形態のマスカラ塗布具１０は、各組のクシ歯群３０におけるクシ歯の配置の仕方に特徴の一つを有する。具体的には、各組のクシ歯群３０においては、隣り合う２個のクシ歯２０を、両者を重ねて正面からみたとき、一方のクシ歯２０における隣り合う突出片２３間に、他方のクシ歯２０の突出片２３が位置するように、各クシ歯２０が配置されている。この状態を図４（ａ）及び（ｂ）を参照しながら説明する。
【００１７】
先に述べた通り、本実施形態においては、３個のクシ歯で一組のクシ歯群３０をなしている。クシ歯群３０における３個のクシ歯を、図４（ａ）及び（ｂ）では符号２０ａ，２０ｂ，２０ｃで示す。この一組のクシ歯群３０における隣り合う２個のクシ歯、例えば２０ａと２０ｂに着目すると、一方のクシ歯２０ａにおける隣り合う突出片２３ａ，２３ａ間に、他方のクシ歯２０ｂにおける突出片２３ｂが位置している。また、別の隣り合う２個のクシ歯である２０ｂと２０ｃに着目すると、一方のクシ歯２０ｂにおける隣り合う突出片２３ｂ，２３ｂ間に、他方のクシ歯２０ｃにおける突出片２３ｃが位置している。
【００１８】
このように、一組のクシ歯群３０においては、各クシ歯２０ａ，２０ｂ，２０ｃそれぞれの突出片２３ａ，２３ｂ，２３ｃの頂点の位置が、クシ歯の円周方向に関して、各クシ歯間においてずれるように各クシ歯が配されている。このことは、塗布ヘッド１２の中央域（図１（ｃ）に示される領域）だけでなく、塗布ヘッドの先端部（図１（ｂ）に示される領域）についても同様である。塗布ヘッド１２は、横から見たときに、ずれて配置された突出片群が、細かな凹凸を多数形成しているように見える。従って、本実施形態のマスカラ塗布具１０を用いてマスカラ薬剤をまつ毛に塗布すると、まつ毛上で出っ張った塊であるダマを、塗布している最中にクシ歯を回転する動きが加わり、その凹凸の隙間に引っ掛けることが容易になり、クシ歯の高剛性との相乗効果で、まつ毛からダマが除去されやすくなる。
【００１９】
また、本実施形態におけるクシ歯は成形によって得られた厚みを有するものなので、毛ブラシに比較して剛性が高い。従って、塗布ヘッド１２に形成された多数の凹凸がダマを引っ掛けたときにダマの大きさやまつ毛への粘着力に負けることなく、まつ毛からダマを除去することができる。
【００２０】
前記の観点から明らかなように、塗布ヘッド１２におけるクシ歯２０の剛性は、ダマ除去性能に影響を及ぼす。特に、マスカラ薬剤が高粘度である場合には、その影響が顕著になる。クシ歯２０をある程度硬く形成することで、高粘度のマスカラ薬剤を用いた場合であってその粘弾性にクシ歯２０が負けないようになり、過度の変形が防止され、ダマの除去効果が顕著なものになる。またクシ歯２０を過度に硬くしないことで、クシ歯２０によるコーミング効果を十分に得ることができる。これらの観点から、本実施形態においては、クシ歯２０の環状片２２及び突出片２３のショア硬さ（Ａ）を４５〜１２０とすることが好ましく、５０〜９０とすることが一層好ましい。それによってコーミングによるロング効果とダマの除去効果を併せ持つことができる。クシ歯２０のショア硬さ（Ａ）は、ＪＩＳ  Ｋ７２１５に従い、タイプＡデュロメータを用いてクシ歯素材をシートに形成して測定する。
【００２１】
クシ歯２０のショア硬さは、該クシ歯２０を構成する材料を適切に選定することで、前記範囲内に調整することができる。
【００２２】
一組のクシ歯群３０における各クシ歯間での円周方向のずれは規則的でもよく、或いは不規則的でもよい。重要な点は、隣同士のクシ歯間で円周方向にずれを生じさせることで、塗布ヘッド１２は、横から見たときに、ずれて配置された突出片群が、細かな凹凸を多数形成しているように見える。本実施形態においては、図４（ｂ）に示すように、各クシ歯間での円周方向のずれは規則的になっている。具体的には、クシ歯２０ａとクシ歯２０ｂは１２度ずれている。同様にクシ歯２０ｂとクシ歯２０ｃも１２度ずれている。なお、一組のクシ歯群に含まれる３個のクシ歯と、その隣りに位置するクシ歯群に含まれる３個のクシ歯とでは、対応するクシ歯の円周方向に関する突出片の位置が同じになっている。つまり、或る一組のクシ歯群におけるクシ歯２０ａと、その隣りに位置するクシ歯群におけるクシ歯２０ａとは、クシ歯の円周方向に関して突出片が同位置にある。クシ歯２０ｂ，２０ｃについても同様になっている。
【００２３】
以上の通りの特徴的な形状を有する塗布ヘッド１２を備えた塗布具１０を用いたマスカラ薬剤の塗布方法について、図５を参照しながら説明する。
【００２４】
先ず、マスカラ塗布具１０の塗布ヘッド１２のクシ歯２０をマスカラ薬剤供給容器（図示せず）に浸漬し、各クシ歯２０に付着したマスカラ薬剤の過剰付着分を該容器のしごき弁によりしごき落とす。マスカラ塗布具１０は、軸方向で隣り合うクシ歯２０の間、主にそれらクシ歯２０の環状片２２及び突出片２３の基端部の間にマスカラ薬剤を貯留する。
【００２５】
次に、図５（ａ）に示すように、塗布ヘッド１２における隣り合うクシ歯２０，２０間の環状溝１３にまつ毛を適確に誘導し、隣り合う突出片２３，２３の間をまつ毛が通過するようにする。この操作によって、環状溝１３に貯留されている薬剤をまつ毛に付着させることができる。そして、クシ歯２０のまぶたに対する距離Ｌ（図５（ａ））を小さくし、図５（ｂ）に示すようにまつ毛の根元から薬剤を塗布する。
【００２６】
次に図５（ｃ）に示すように、マスカラ塗布具１０のクシ歯２０を上まつ毛に対して上方に移動させ、クシ歯２０の環状片２２及び突出片２３の基端部の間に貯留されているマスカラ薬剤をまつ毛に塗布する（図５（ｄ）及び（ｅ））。
【００２７】
次に、本発明の第２に実施形態を、図６を参照しながら説明する。本実施形態に関し特に説明しない点については、先に述べた実施形態に関する説明が適宜適用される。また図６において、図１ないし図５と同じ部材には同じ符号を付してある。
【００２８】
図６には、クシ歯群３０の別の実施形態が示されている。本実施形態におけるクシ歯群３０は、互いに異形の２個のクシ歯２５ａ，２５ｂからなる。但し両クシ歯の直径は同じになっている。クシ歯２５ａは６個の突出片を備える星形状の形状になっている。一方、クシ歯２５ｂは、図２に示すクシ歯２０と同様に１０個の突出片を備える星形状の形状になっている。そして、先に述べた実施形態と同様に、本実施形態においても２個のクシ歯を重ねた状態で正面からみたときに、一方のクシ歯２５ａにおける隣り合う突出片２６ａ，２６ａ間に、他方のクシ歯２５ｂの突出片２６ｂが位置している。従って、本実施形態においても、ブラシ１０の塗布ヘッド１２は、各クシ歯２５ａ，２５ｂの突出片２６ａ，２６ｂからなる細かな凹凸が多数形成されたように見える状態になっている。
【００２９】
なお、本実施形態においては、一方のクシ歯２５ａにおける隣り合う突出片２６ａ，２６ａ間に、他方のクシ歯２５ｂの突出片２６ｂが１個位置している場合と、２個位置している場合とが混在している。しかしこのこと自体は、本発明の効果に影響を及ぼすものではない。
【００３０】
以上、本発明をその好ましい実施形態に基づき説明したが、本発明は前記実施形態に制限されない。例えば図１に示す実施形態においては、３個のクシ歯で一組のクシ歯群３０が構成されていたが、クシ歯の数はこれに限られず２個又は４個以上でもよい。
【００３１】
また前記の各実施形態においては、３個（図６では２個）のクシ歯で一組のクシ歯群が構成され、その組が複数組用いられていたが、これに代えて、クシ歯の形状及び／又は数が異なる２組以上のクシ歯群を組み合わせて塗布ヘッドを構成してもよい。
【００３２】
また、一組のクシ歯群においては、隣り合う２個のクシ歯における突出片の頂点の位置が、すべての頂点においてずれていることが好ましいが、突出片の頂点の位置が一部重なっていてもよい。
【実施例】
【００３３】
以下、実施例により本発明を更に詳細に説明する。しかしながら本発明の範囲はかかる実施例に制限されるものではない。
【００３４】
〔実施例１〕
図１ないし図４に示す環状片と突出片とが一体で形成されているマスカラ塗布具を作製した。塗布棒１１は射出成形で形成した。塗布ヘッド１２はインサート成形で作製した。塗布部芯棒１１Ａの外径は１．７５ｍｍ、塗布部軸２１の外径は２．３ｍｍ、環状片２２の外径は２．９５ｍｍ、突出片２３の外径は６．０ｍｍであった。また、突出片２３の自由端の軸方向厚みは０．２ｍｍ、クシ歯２０（環状片２２及び突出片２３）のピッチは０．８ｍｍであった。この塗布具を用い、３０万ｍＰａ・ｓのマスカラ薬剤をまつ毛に３０回塗布する操作を、女性モニター１名に行わせた。塗布後にまつ毛に付着しているダマの数を数えたところ、７個で、かつきれいな毛束の仕上がりであった。
【００３５】
〔比較例１〕
実施例１と同様の測定を従来のスクリューブラシを用いて行ったところ、ダマの数は４２個であり、毛束がもつれた仕上がりであった。
【図面の簡単な説明】
【００３６】
【図１】図１（ａ）は、本発明のマスカラ塗布具の一実施形態を示す正面図であり、図１（ｂ）及び（ｃ）は塗布具における塗布ヘッドの要部拡大図である。
【図２】図１のII−II線に沿う断面図（正面視）である。
【図３】図２のIII−III線に沿う断面図である。
【図４】図４（ａ）は図１に示すマスカラ塗布具の塗布ヘッドにおけるクシ歯群を示す分解斜視図であり、図４（ｂ）はクシ歯群を重ねた状態での正面図である。
【図５】図１に示すマスカラ塗布具の使用状態を示す模式図である。
【図６】本発明のマスカラ塗布具の第２の実施形態における塗布ヘッドのクシ歯群を重ねた状態での正面図である。
【符号の説明】
【００３７】
１０  マスカラ塗布具
１１  塗布棒
１１Ａ  塗布棒先端芯棒
１２  塗布ヘッド（塗布部）
２０，２０ａ，２０ｂ，２０ｃ  クシ歯
２１  塗布部軸
２２  環状片
２３，２３ａ，２３ｂ，２３ｃ  突出片
３０  クシ歯群
【図１】
2011229989.tif 000003
【図２】
2011229989.tif 000004
【図３】
2011229989.tif 000005
【図４】
2011229989.tif 000006
【図５】
2011229989.tif 000007
【図６】
2011229989.tif 000008
【手続補正書】
【提出日】平成23年8月25日(2011.8.25)
【手続補正１】
【補正対象書類名】特許請求の範囲
【補正対象項目名】全文
【補正方法】変更
【補正の内容】
【特許請求の範囲】
【請求項１】
マスカラ薬剤を塗布する塗布ヘッドが塗布部軸とクシ歯とから構成され、クシ歯が環状片と突出片が一体で形成されたマスカラ塗布具であって、
頂点が丸みを帯びた三角形状をしている突出片が、環状片の周方向に沿って略一定間隔をなす複数位置に設けられており、
隣り合う２個以上のクシ歯を正面からみたとき、一方のクシ歯における隣り合う突出片間に、他方のクシ歯の突出片が位置するように、各クシ歯が配置され、
塗布ヘッドは、これを横から見たときに、クシ歯同士の間隔をクシ歯厚みと略同じに配置して、ずれて配置された突出片群が、細かな凹凸を多数形成しているマスカラ塗布具。
【請求項２】
各クシ歯間での突出片の頂点の位置のずれが規則的になっているか、又は不規則的になっている請求項１に記載のマスカラ塗布具。
【請求項３】
突出片が、環状片の周方向に沿って略一定間隔をなす複数位置に設けられて塗布部軸の径方向の外方に突出している請求項１又は２に記載のマスカラ塗布具。